(57)【要約】      （修正有）【課題】低侵襲手術固定連接棒グリッパ構造を提供する。【解決手段】特に、調整可能の関節モジュール２で、グリップ１とデフレクションバー３との間の角度を適当に調整して、また、嵌接棒４と定位棒５とで、剛性スリーブ６と軟性連接棒７を有する固定連接棒をグリップする構造で、グリッパの格別な簡単な操作手順により、安定的に剛性スリーブ６と軟性連接棒７をグリップして、骨釘本体同士の間に組立てさせて嵌設させ、そして、手術過程において、有効に、創傷の開口面積を縮小できる。【選択図】図１
0003184279.tif 000002
【実用新案登録請求の範囲】
【請求項１】
グリップと、
互いに嵌合する第一の歯ディスクと第二の歯ディスクを有し、上記第一の歯ディスクが、グリップに連結される関節モジュールと、
関節モジュールの第二の歯ディスクに連結されるデフレクションバーと、
上記デフレクションバーに連結され、嵌接穴と貫設穴があり、上記嵌接穴と貫設穴が、垂直に貫通し、上記嵌接穴において、デフレクションバーの一側の近くに、めねじが形成される嵌接棒と、
回転ヘッドとピンがあり、回転ヘッドの一側の近くに、おねじが形成され、上記おねじが、嵌接穴のめねじに螺着される定位棒と、
が含有される、
ことを特徴とする低侵襲手術固定連接棒グリッパ構造。
【請求項２】
上記グリップとデフレクションバーとが、それぞれ、関節モジュールの第一の歯ディスクと第二の歯ディスクによって互いに枢着されることを特徴とする請求項１に記載の低侵襲手術固定連接棒グリッパ構造。
【請求項３】
上記定位棒の回転ヘッドに、更に、内六角穴が形成されることを特徴とする請求項１に記載の低侵襲手術固定連接棒グリッパ構造。
【考案の詳細な説明】
【技術分野】
【０００１】
本考案は、低侵襲手術固定連接棒グリッパ構造に関し、調整可能の関節モジュールで、グリップとデフレクションバーとの角度を適当に調整でき、安定的に剛性スリーブと軟性連接棒を保持でき、また、正確に、骨釘同士の間に嵌設される低侵襲手術固定連接棒グリッパ構造に関する。
【背景技術】
【０００２】
従来の連接棒グリッパ構造は、固定式角度の構造設計で、固定連接棒を操作して入れ込み過程において、人体の背部と干渉しやすく、手術の進行に悪影響を与え、また、先端のグリップ機構の体積が、有効に縮小されず、創傷箇所の面積が大きくなり、手術後の癒しが悪くなる。
【０００３】
上記従来の連接棒グリッパ構造は、1、定式角度設計で、使用上、干渉しやすくなり、2、グリップ機構の体積が大きくなり、有効に創傷の面積を縮小できない欠点が残されている。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案は、剛性スリーブと軟性連接棒とを結合する分段式架設固定構造により、完全な剛性牽制や一部弾性牽制を実現できる具体的な作用が得られ、1、角度調整可能式設計で、使用上、干渉すうことなく、2、多段且つ微量で角度調整でき、使用弾性が大幅に増加され、3、グリップ機構の体積がより小さくなり、有効に創傷の面積を縮小でき、4、グリップ機構で、安定的に、固定連接棒をグリップでき、緩めることや変形することない、などの利点が得られる低侵襲手術固定連接棒グリッパを提供する。
【課題を解決するための手段】
【０００６】
請求項１の考案は、グリップと、互いに嵌合する第一の歯ディスクと第二の歯ディスクを有し、上記第一の歯ディスクが、グリップに連結される関節モジュールと、関節モジュールの第二の歯ディスクに連結されるデフレクションバーと、上記デフレクションバーに連結され、嵌接穴と貫設穴があり、上記嵌接穴と貫設穴が、垂直に貫通し、上記嵌接穴において、デフレクションバーの一側の近くに、めねじが形成される嵌接棒と、回転ヘッドとピンがあり、回転ヘッドの一側の近くに、おねじが形成され、上記おねじが、嵌接穴のめねじに螺着される定位棒と、が含有される、ことを特徴とする低侵襲手術固定連接棒グリッパ構造である。
【０００７】
請求項２の考案は、上記グリップとデフレクションバーとが、それぞれ、関節モジュールの第一の歯ディスクと第二の歯ディスクによって互いに枢着されることを特徴とする請求項１に記載の低侵襲手術固定連接棒グリッパ構造である。
【０００８】
請求項３の考案は、上記定位棒の回転ヘッドに、更に、内六角穴が形成されることを特徴とする請求項１に記載の低侵襲手術固定連接棒グリッパ構造である。
【０００９】
以下、図面を参照しながら、本考案の特徴や技術内容について、詳しく説明するが、それらの図面等は、参考や説明のためであり、本考案は、それによって制限されることが無い。
【考案を実施するための形態】
【００１０】
図1乃至図3を参照しながら、本考案は、低侵襲手術固定連接棒グリッパ構造であり、グリップ1と、互いに嵌合する第一の歯ディスク21と第二の歯ディスク22を有し、上記第一の歯ディスク21が、グリップ1に連結される関節モジュール2と、関節モジュール2の第二の歯ディスク22に連結されるデフレクションバー3と、上記デフレクションバー3に連結され、嵌接穴41と貫設穴42があり、上記嵌接穴41と貫設穴42が、垂直に貫通し、上記嵌接穴41において、デフレクションバー3の一側の近くに、めねじ411が形成される嵌接棒4と、回転ヘッド51とピン52があり、回転ヘッド51の一側の近くに、おねじ53が形成され、上記おねじ53が、嵌接穴41のめねじ411に螺着され、回転ヘッド51に、更に、内六角穴511が形成される定位棒5と、が備えられる。
【００１１】
上記グリップ1とデフレクションバー3とが、それぞれ、関節モジュール2の第一の歯ディスク21と第二の歯ディスク22によって互いに枢着され、図3のようである。
【００１２】
本考案によれば、軟性連接棒7は、剛性スリーブ6の二つの溝きり62を有する収納空間61内に嵌接され、図1のように、上記剛性スリーブ6は、貫通孔63が形成され、この時、剛性スリーブ6の貫通孔63を有する一端を、嵌接棒4の貫設穴42内に嵌入して、定位棒5を嵌接棒4の嵌接穴41に挿入し、ツール(普通、六角レンチである)を、回転ヘッド51の内六角穴511へ嵌入して、定位棒5全体を回転させ、定位棒5のおねじ53と嵌接穴41のめねじ411との螺合により、少しずつとり締め、また、定位棒5のピン52は、対応して、剛性スリーブ6の貫通孔63に挿入し、図2のように、脱落することなく、安定的に、剛性スリーブ6と軟性連接棒7とを有する固定連接棒全体の構造をグリップできる。
【００１３】
図4のように、本考案は、関節モジュール2で、グリップ1とデフレクションバー3との間の角度(多段微角度調整可能)を適当に調整でき、定位棒5が、嵌接棒4に貫設され、また、安定的に、剛性スリーブ6と軟性連接棒7を有する固定連接棒をグリップできる構造であり、皮膚102に垂直する方向に、低侵襲傷口を介して筋肉組織101に通して、外側の骨釘本体8の受け座81と枢着座82の奥まで届き、この時、骨釘本体8の先端にあるロック釘9が、正確に、対応した各節の脊椎骨10にロックされた。
【００１４】
図5と図6のように、本考案によれば、逆時計回りにグリッパのグリップ1(関節モジュール2でグリップ1とデフレクションバー3と間にある角度を適当に調整でき、人体に干渉することない)、嵌接棒4と定位棒5で、剛性スリーブ6と軟性連接棒7を有する固定連接棒をグリップする構造であるため、少しずつ、垂直に直立状態から、筋肉組織101内において、水平状態(過程において、表層の皮膚102が、僅かに拡張されるだけである)に回転され、また、同時に、骨釘の本体8の二つの側壁811の間に嵌入し、各骨釘の本体8同士の間に、剛性スリーブ6と軟性連接棒7を有する固定連接棒の構造により、異なる拘束度によって拘束され、各本体8の先端のロック釘9に螺着された各節の脊椎骨10が連動されて、剛性(剛性スリーブ6の関節段)と弾性(軟性連接棒7の関節段)の牽制作用が発生され、小さい面積の創傷口だけで、手術を行われるため、手術後の回復状況が良くなり、また、感染のリスクが低減され、両方面において、良い効果が得られる。
【００１５】
そのため、本考案は、より進歩的かつより実用的で、法に従って実用新案登録請求を出願する。
【００１６】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１７】
【図１】本考案の実施例の連接棒グリッパの構造分解図
【図２】本考案の実施例の連接棒グリッパの組立ての側面断面図
【図３】本考案の実施例の連接棒グリッパの組立ての横断面図
【図４】本考案の実施例の固定連接棒のグリップ図(一)
【図５】本考案の実施例の固定連接棒のグリップ図(二)
【図６】本考案の実施例の固定連接棒のグリップ図(三)
【符号の説明】
【００１８】
1  グリップ
10  脊椎骨
101     筋肉組織
102     皮膚
2  関節モジュール
21  第一の歯ディスク
22  第二の歯ディスク
3  デフレクションバー
4  嵌接棒
41  嵌接穴
411  めねじ
42  貫設穴
5  定位棒
51  回転ヘッド
511  内六角穴
52  ピン
53  おねじ
6  剛性スリーブ
61  収納空間
62  溝きり   
63  貫通孔            
7  軟性連接棒
8  本体
81  受け座            
811     側壁    
82  枢着座
9  ロック釘
【図１】
0003184279.tif 000003
【図２】
0003184279.tif 000004
【図３】
0003184279.tif 000005
【図４】
0003184279.tif 000006
【図５】
0003184279.tif 000007
【図６】
0003184279.tif 000008